(57)【要約】      （修正有）【課題】信号端子の間のクロストークを低めるＵＳＢコネクタを提供する。【解決手段】絶縁性本体と、複数の導電端子３１，３２とを備える。絶縁性本体は、本体部と、本体部から前向きに突出する舌板１２とを有する。導電端子は、前記舌板に装着され、複数の第１端子３１と複数の第２端子３２とを含む、複数の導電端子の中には、複数対の差分信号端子と、複数の接地端子とを有する。各導電端子が主体部と、主体部の前端に設けられる接触部と、外へ延出する半田接続部と、半田接続部と連接する保持部とを有する。複数の導電端子の半田接続部が一列に配置される。隣接する二対の差分信号端子の半田接続部の間には、二つの接地端子の半田接続部が設けられる。【選択図】図１
0003159900.tif 000002
【実用新案登録請求の範囲】
【請求項１】
本体部と、本体部から前向きに突出する舌板とを有する絶縁性本体と、
前記舌板に装着され、複数の第１端子と複数の第２端子とを含む複数の導電端子と、を備え、
複数の導電端子の中には、複数対の差分信号端子と、複数の接地端子とを有し、
各導電端子が主体部と、主体部の前端に設けられる接触部と、外へ延出する半田接続部と、半田接続部と連接する保持部とを有し、
複数の導電端子の半田接続部が一列に配置され、
隣接する二対の差分信号端子の半田接続部の間には、二つの接地端子の半田接続部が設けられることを特徴とする電気コネクタ。
【請求項２】
前記第２端子の主体部と第１端子の主体部とがそれぞれ上下の二つ平面に配置され、前記第１端子の保持部と第２端子の保持部とが面一になることを特徴とする請求項１に記載の電気コネクタ。
【請求項３】
前記複数の第１端子が四つ第１端子を含み、前記複数の第２端子の半田接続部は、四つの第１端子の半田接続部の両側に配置されることを特徴とする請求項１に記載の電気コネクタ。
【請求項４】
前記複数の第２端子が五つの第２端子を含み、前記第２端子の接地端子は、音叉状に形成され、一対の保持部と、前記四つの第１端子の第１半田接続部の両側に配置される一対の半田接続部とを有することを特徴とする請求項３に記載の電気コネクタ。
【請求項５】
各端子が主体部と保持部の間に設けられる折曲部を有し、第１端子の折曲部が中央に向かって折り曲げられ、第２端子の折曲部が両側に向かって折り曲げられ、第１端子の接触部の間の距離が第１端子の半田接続部の間の距離より大きく、第１端子の折曲部と第２端子の折曲部とが、それぞれ前後の二つの平面に配置されることを特徴とする請求項１に記載の電気コネクタ。
【請求項６】
前記電気コネクタがＵＳＢ３．０Ａのソケットコネクタであり、第１端子がＵＳＢ２．０Ａのプラグに電気接続するためのものであり、第２端子が、ＵＳＢ３．０Ａのプラグに電気接続するためのものであり、第１端子の一対の差分信号端子の半田接続部と第２端子の一対の差分信号端子の半田接続部の間には二つの接地端子の半田接続部或いは接地端子とパワー端子の半田接続部が配置されることを特徴とする請求項１〜５の中の何れか１つの請求項に記載の電気コネクタ。
【考案の詳細な説明】
【技術分野】
【０００１】
本考案は、電気コネクタに関し、特に、ＵＳＢ（Ｕｎｉｖｅｒｓａｌ  Ｓｅｒｉａｌ  Ｂｕｓ）規格に準拠した電気コネクタに関するものである。
【背景技術】
【０００２】
従来技術のＵＳＢコネクタは、絶縁性本体と、導電端子と、絶縁性本体を遮蔽するハウジングとを備える。絶縁性本体は、本体部と、本体部から突出する舌板とを備える。各導電端子は、舌板の表面に配置される接触部と、絶縁性本体から延出する半田接続部とを有する。隣接する二対の差分信号端子の半田接続部の間には、一つの接地端子の半田接続部が配置される。これにより、二対の差分信号端子の間のクロストークは、強くなる。
【先行技術文献】
【特許文献】
【０００３】
【特許文献１】中国実用新案第２０１０９７４２６Ｙ号明細書
【考案の概要】
【考案が解決しようとする課題】
【０００４】
隣接する二対の差分信号端子の半田接続部の間には、一つの接地端子の半田接続部だけが配置される。差分信号端子の間のクロストークは強くなる。
【０００５】
そこで本考案は、上述される従来技術の問題に鑑み、信号端子の間のクロストークを低減させるＵＳＢコネクタを提供することを目的とする。
【課題を解決するための手段】
【０００６】
前記目的を達成するために、本考案の電気コネクタは、絶縁性本体と、複数の導電端子とを備える。絶縁性本体は、本体部と、本体部から前向きに突出する舌板とを有する。導電端子は、前記舌板に装着され、複数の第１端子と複数の第２端子とを含む、複数の導電端子の中には、複数対の差分信号端子と、複数の接地端子とを有する。各導電端子が主体部と、主体部の前端に設けられる接触部と、外へ延出する半田接続部と、半田接続部と連接する保持部とを有する。複数の導電端子の半田接続部が一列に配置される。隣接する二対の差分信号端子の半田接続部の間には、二つの接地端子の半田接続部が設けられる。
【考案の効果】
【０００７】
従来技術と比べると、本考案は以下の長所を有する。本考案の電気コネクタの隣接する両対の差分信号端子の間には、二つの接地端子の半田接続部が配置される。これにより、隣接する両対の差分信号端子の間のクロストークが低減する。
【図面の簡単な説明】
【０００８】
【図１】本考案の電気コネクタの組立斜視図である。
【図２】図１に示す電気コネクタを別の角度から見た組立図である。
【図３】図１に示す電気コネクタの部分の分解斜視図である。
【図４】図３に示す電気コネクタの別の部分の分解斜視図である。
【図５】図１に示す電気コネクタの導電端子の配置示意図である。
【図６】図１に示す電気コネクタの分解斜視図である。
【図７】図１に示す電気コネクタの別の分解斜視図である。
【図８】図１に示す電気コネクタの別の分解斜視図である。
【考案を実施するための形態】
【０００９】
図１〜図８を参照すると、電気コネクタ１００は、ＵＳＢ３．０Ａのソケットコネクタであり、ＵＳＢ２．０Ａのプラグ或いはＵＳＢ３．０Ａのプラグも係合できる。電気コネクタ１００は、絶縁性本体１と、絶縁性本体１に装着されるベース２と、絶縁性本体１に挿入される複数の導電端子３と、絶縁性本体１を遮蔽するハウジング４とを備える。
【００１０】
図６〜図８に示すように、絶縁性本体１は、本体部１１と、本体部１１から前向きに突出する舌板１２とを備える。本体部１１は、一対の側壁１１５と後壁１１６とを有する。一対の側壁１１５の間には第１収納穴１１１が形成される。後壁１１６の底部には、前記第１収納穴１１１に貫通する第２収納穴１１２が形成される。各側壁１１５の内表面には、凹溝１１４が形成される。
【００１１】
絶縁性本体１の舌板１２の下表面には、四つの第１端子溝１２３と、前記第１端子溝１２３の上に形成される五つの第２端子溝１２４とが形成される。第２端子溝１２４の長さが第１端子溝１２３の長さより大きい。
【００１２】
ベース２は、基部２１と、基部２１の底部から延在する板状部２２とを備える。基部２１には、前後に貫通する複数の固定溝２１０が形成される。基部２１の後部には複数のスペーサー２１２と、スペーサー２１２の間に形成される複数のスロット２１１とが設けられる。スペーサー２１２の上には、凹部２１３が形成される。基部２１の両側には、前記一対の凹溝１１４に対応する一対の凸状部片２１４が設けられる。
【００１３】
導電端子３は、ＵＳＢ２．０Ａのプラグに電気接続するための四つの第１端子３１と、ＵＳＢ３．０Ａのプラグに電気接続するための五つの第２端子３２とを有する。図５に示すように、四つの第１端子３１は、順番に第１接地端子３１０１と、一対の下差分信号端子３１０２，３１０３と、パワー端子３１０４とを含む。各第１導電端子３１は、第１主体部３１１と、第１主体部３１１の前端に設けられる弾力的なアーク状の第１接触部３１２と、第１主体部３１１の後端から中央に向かって折り曲げられる第１折曲部３１４と、第１折曲部３１４の末端から後向きに折り曲げられるＬ字状の階段部３１５と、階段部３１５から後向きに延在する第１半田接続部３１６とを有する。第１主体部３１１の後端には複数のクリック部を有する第１係止部３１３が設けられる。階段部３１５は、互いに連接する第１水平部３１５１及び第１垂直部３１５２とを含む。第１端子３１の第１接触部３１２の間の距離が第１端子３１の第１半田接続部３１６の間の距離より大きい。
【００１４】
五つの第２端子３２は、音叉状の第２接地端子３２０３と、第２接地端子３２０３の両側に配置される一対の第１上差分信号端子３２０１，３２０２と、一対の第２上差分信号端子３２０４，３２０５とを有する。各第２端子３２は、第２主体部３２１と、第２主体部３２１の前端に設けられる平板状の第２接触部３２２と、下向きに延在する第２垂直部３２３と、第２垂直部３２３から後向きに延在する第２半田接続部３２４とを備える。第２垂直部３２３には、第２主体部３２１の末端から外側へ向かって折り曲げられる第２折曲部３２３０が設けられる。第２接地端子３２０３は、一対の第２折曲部３２３０を含む一対の垂直部３２３と、一対の半田接続部３２４とを備える。第２接地端子３２０３の一対の折曲部３２３０の間には、開口部３２５が形成される。第２接地端子３２０３の第２主体部３２１の幅が、上差分信号３２０１、３２０２、３２０４，３２０５の第２主体部３２１の幅より大きい。これにより、第２接地端子３２０３の遮蔽効果が上げられる。二対の差分信号端子の間のクロストークが低減する。
【００１５】
ハウジング４は金属材料によって製造される。ハウジング４は、頂壁４１と、底壁４２と、頂壁４１の側辺から下向きに折り曲げられる一対の側壁４３と、頂壁４１の後辺から下向きに延在する後壁４４とを有する。ハウジング４は、側壁４３から下向きに延在する一対の固持脚４５が設けられる。
【００１６】
図４及び図５に示すように、電気コネクタ１を取り付ける時、先ず、四つの第１端子３１は絶縁性本体１の舌板１２の第１端子溝１２３に挿入される。第１端子３１の第１接触部３１２が第１端子溝１２３から露出される。第１端子３１の第１折曲部３１４が、第１収納穴１１１に収納される。第１端子３１の第１階段部３１５が第２収納穴１１２に収納される。五つの第２端子３２は、絶縁性本体１の第２端子溝１２４に挿入される。第２端子３２の第２接触部３２２が第２端子溝１２４から露出する。第２端子３２の第２接触部３２２は、第１端子３１の第１接触部３１２の前に配置される。第２端子３２の第２主体部３２１と第１端子３１の第１主体部３１１とがそれぞれ上下の二つ平面に配置される。第１端子３１の第１折曲部３１４と第２端子３２の第２折曲部３２３０とがそれぞれ前後の二つ平面に配置される。第２端子３２の第２垂直部３２３は、絶縁性本体１の保持壁１１６に挿入される。第１端子３１の第１垂直部３１５２と第２端子３２の第２垂直部３２３とは、面一になる。第１端子３１の第１半田接続部３１６と第２端子３２の第２半田接続部３２４とは、一列に配置されて、面一になる。第１端子３１の第１半田接続部３１６は、第２接地端子３２０３の一対の第２半田接続部３２４の間に配置される。
【００１７】
図５に示すように、第１上差分信号端子３２０１の第２半田接続部３２４と、第１差分信号端子３２０２の第２半田接続部３２４と、第２接地端子３２０３の第２半田接続部３２４と、第１接地端子３１０１の第１半田接続部３１６と、下差分信号端子３１０２の第１半田接続部３１６と、下差分信号端子３１０３の第１半田接続部３１６と、パワー端子３１０４の第１半田接続部３１６と、第２接地端子３２０３の第２半田接続部３２４と、第２上差分信号端子３２０４の第２半田接続部３２４と、第２上差分信号端子３２０５の第２半田接続部３２４とは、順番に、一列に配置される。隣接する一対の第１上差分信号端子３２０１，３２０２と一対の下差分信号端子３１０２，３１０３の間には、第１、第２接地端子３１０１，３２０３の半田接続部３１６，３２４が配置される。同時に、隣接する下差分信号端子３１０２，３１０３と、第２上差分信号端子３２０４、３２０５の間には、パワー端子３１０４の第１半田接続部２１６と第２接地端子３２０３の第２半田接続部３２４が配置される。即ち、隣接する両対の差分信号端子の間には、二つの接地端子或いは接地端子及パワー端子が配置される。これにより、隣接する二対の差分信号端子の間のクロストークが低減する。他の実施形態において、第１接地端子３１０１の第１半田接続部３１６、或いはパワー端子３１０４の第１半田接続部３１６は、第２接地端子３２０３の開口部３２５の外側に配置できる。
【００１８】
ベース２は絶縁性本体１に装着される。ベース２の基部２１は絶縁性本体１の第１収納穴１１１に収納され、凸状部片２１４が凹溝１１４に係合される。第１端子３１の係止部３１３がベース２の固定溝２１０に固着される。第１折曲部３１４が、凹部２１３に配置される。第１階段部３１５が、スロット２１１に挿入される。スペーサー２１１が第２収納溝１１２に収納される。
【００１９】
ハウジング４が絶縁性本体１を遮蔽する。ハウジング４の底壁４２が、舌板１２と板状部２２の間に配置される。
【００２０】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２１】
１００  電気コネクタ
１  絶縁性本体
１１  本体部
１１１  第１収納穴
１１２  第２収納穴
１１４  凹溝
１１５  側壁
１１６  保持壁
１２  舌板
１２３  第１端子溝
１２４  第２端子溝
２  ベース
２１  基部
２１０  固定溝
２１１  スロット
２１２  スペーサー
２１３  凹部
２１４  凸状部片
２２  板状部
３  導電端子
３１  第１端子
３１０１  第１接地端子
３１０２，３１０３  下差分信号端子
３１０４  パワー端子
３１１  第１主体部
３１２  第１接触部
３１３  第１係止部
３１４  第１折曲部
３１５  第１階段部
３１５１  第１水平部
３１５２  第１垂直部
３１６  第１半田接続部
３２  第２端子
３２０１，３２０２  第１上差分信号端子
３２０３  第２接地端子
３２０４，３２０５  第２上差分信号端子
３２１  第２主体部
３２２  第２接触部
３２３  第２垂直部
３２３０  第２折曲部
３２４  第２半田接続部
３２５  開口部
４  ハウジング
４１  頂壁
４２  底壁
４３  側壁
４４  後壁
４５  固持脚
【図１】
0003159900.tif 000003
【図２】
0003159900.tif 000004
【図３】
0003159900.tif 000005
【図４】
0003159900.tif 000006
【図５】
0003159900.tif 000007
【図６】
0003159900.tif 000008
【図７】
0003159900.tif 000009
【図８】
0003159900.tif 000010